(57)【要約】  フィンガー部を備える複数の摺動子と、前記摺動子を第１の方向に移動させる駆動部材と、前記第１の方向とは逆の方向である第２の方向に前記摺動子を押圧する押圧部材と、を備えるタッピングデバイスであって、当該複数の摺動子の複数の前記フィンガー部を覆うカバーを更に備えるタッピングデバイス。
2020105593.tif 000002
【特許請求の範囲】
【請求項１】
フィンガー部を備える複数の摺動子と、前記摺動子を第１の方向に移動させる駆動部材と、前記第１の方向とは逆の方向である第２の方向に前記摺動子を押圧する押圧部材と、を備えるタッピングデバイスであって、
当該複数の摺動子の複数の前記フィンガー部を覆うカバーを更に備えること
を特徴するタッピングデバイス。
【請求項２】
前記カバーは液体非透過性であること
を特徴とする請求項１に記載のタッピングデバイス。
【請求項３】
当該複数の摺動子はダンパを備えること
を特徴とする請求項１又は請求項２のいずれかに記載のタッピングデバイス。
【請求項４】
前記ダンパはエアダンパであること
を特徴とする請求項３に記載のタッピングデバイス。
【請求項５】
前記カバーを覆うシート及び前記シートを取り付ける装着リングを備えること
を特徴とする請求項１〜４のいずれか一項に記載のタッピングデバイス。
【請求項６】
前記シートは、化粧基剤を含むこと
を特徴とする請求項５に記載のタッピングデバイス。
【請求項７】
前記化粧基剤は、前記シートに含浸されている、又は、前記シートの表面に塗工されていること
を特徴とする請求項６に記載のタッピングデバイス。
【請求項８】
前記化粧基剤は、水溶性有効成分を配合していること
を特徴とする請求項６又は請求項７のいずれかに記載のタッピングデバイス。
【請求項９】
前記水溶性有効成分が、保湿成分又は美白成分であること
を特徴とする請求項８に記載のタッピングデバイス。
【請求項１０】
前記保湿成分は、グリセリンを含むこと
を特徴とする請求項９に記載のタッピングデバイス。
【請求項１１】
前記美白成分は、トラネキサム酸、ビタミンＣ誘導体、アルブチン、４−メトキシサリチル酸カリウム塩、ニコチン酸アミドのいずれかを含むこと
を特徴とする請求項９に記載のタッピングデバイス。
【請求項１２】
前記シートは、３次元多孔質構造のシートであること
を特徴とする請求項５〜１１のいずれか一項に記載のタッピングデバイス。
【請求項１３】
前記フィンガー部の断面の一部は、指の腹部の形状を模した略楕円の一部であること
を特徴とする請求項１〜１２のいずれか一項に記載のタッピングデバイス。
【請求項１４】
前記押圧部材の前記摺動子を押圧する最大の力が１〜１０Ｎであること
を特徴とする請求項１〜１３のいずれか一項に記載のタッピングデバイス。
【請求項１５】
前記フィンガー部の側面周囲を覆う枠部を備え、
前記カバーは、前記フィンガー部を覆う凸部と、前記枠部を覆うカバー枠部と、を備え、
前記凸部が前記カバー枠部より、静止状態でタッピング対象側に突出すること
を特徴とする請求項１〜１４のいずれか一項に記載のタッピングデバイス。
【請求項１６】
前記凸部が前記カバー枠部より、静止状態でタッピング対象側に２〜５ｍｍ突出すること
を特徴とする請求項１５のいずれか一項に記載のタッピングデバイス。
【請求項１７】
前記複数の摺動子は、前記摺動子が並んでいる順番に順次タッピングすること
を特徴とする請求項１〜１６のいずれか一項に記載のタッピングデバイス。
【請求項１８】
前記複数の摺動子は、お互いにタイミングをずらして個別にタッピングすること
を特徴とする請求項１〜１６のいずれか一項に記載のタッピングデバイス。
【請求項１９】
前記駆動部材は、前記複数の摺動子に設けられた複数のカム受部と、当該複数のカム受部に係合する複数のカムと、前記複数のカムを駆動するカムシャフトを含み、
前記カムが駆動されることにより、前記カムと前記カム受部が係合して前記摺動子が前記第１の方向に移動し、
前記カムと前記カム受部との係合が外れて、前記摺動子の前記フィンガー部が前記押圧部材の押圧する方向に直線的に移動し、
前記摺動子の前記フィンガー部が前記押圧部材の押圧する方向に移動することによって、前記フィンガー部がタッピングすること
を特徴とする請求項１〜１８のいずれか一項に記載のタッピングデバイス。
【発明の詳細な説明】
【技術分野】
【０００１】
本発明は、タッピングデバイスに関する。
【背景技術】
【０００２】
従来から、コットン製等の不織布に化粧水を含ませてパッティング（肌を連続に軽くたたく行為）することが知られている。この不織布を用いることによって、角層への化粧水の浸透量を増やすことができる。【０００３】
また、従来、人の皮膚を軽くたたく（タッピングする）機器が知られている。特許文献１には、指頭程度の大きさの叩打子により顔面皮膚を軽く且つリズミカルに叩打（タッピング）するタッピング式美容器が開示されている。
【先行技術文献】
【特許文献】
【０００４】
【特許文献１】実開昭４９−１２８４６７号公報
【発明の概要】
【発明が解決しようとする課題】
【０００５】
不織布に化粧水を含ませてパッティング（肌を連続でたたく行為）する際には、例えば、不織布の中心を中指の腹に置いて、中指と人差し指及び薬指とで不織布の端部を挟み込んで、肌をたたくようにする。しかしながら、不織布を適切に持ちながら、肌をたたくようにするには慣れが必要であり困難である。また、中指の腹で肌をたたくような単純なパッティングしかできない。例えば、不織布を手に持ちながら、エステで行われるような複数の指でタッピングするようなことはできない。【０００６】
先行技術は、タッピング部材の叩打子が取付部を中心に回転する。タッピング部材の大部分が装置の框体から露出し、タッピング部材が可動する領域が広いことから、叩打（タッピング）する対象以外にタッピング部材が接触する可能性がある。また、先行技術では叩打子が適切な強度で肌を叩打するように手で装置を持ちながら肌と叩打子との間隔を調整しなければならず、間隔を一定に保ちつつ叩打子を肌に適切に当てるようにすることは困難である。【０００７】
本発明の一実施形態は、タッピングを行う部材がタッピング対象以外に接触することなしに、肌に密着させて安全で簡単にタッピングを行うことができるタッピングデバイスを提供することを目的とする。
【課題を解決するための手段】
【０００８】
開示のタッピングデバイスは、フィンガー部を備える複数の摺動子と、前記摺動子を第１の方向に移動させる駆動部材と、前記第１の方向とは逆の方向である第２の方向に前記摺動子を押圧する押圧部材と、を備えるタッピングデバイスであって、当該複数の摺動子の複数の前記フィンガー部を覆うカバーを更に備える。
【発明の効果】
【０００９】
タッピングデバイスを肌に密着させて、タッピングを行う部材がタッピング対象以外に接触することなしに安全で簡単にタッピングを行うことができる。
【図面の簡単な説明】
【００１０】
【図１Ａ】本実施形態に係るタッピングデバイスの正面図である。
【図１Ｂ】本実施形態に係るタッピングデバイスの側面図である。
【図２】本実施形態に係るタッピングデバイスの分解斜視図である。
【図３】本実施形態に係るタッピングデバイスのタッピング機構部の斜視図である。
【図４】本実施形態に係るタッピングデバイスの摺動子の斜視図である。
【図５】本実施形態に係るタッピングデバイスのダンパの断面斜視図である。
【図６】図１Ｂに示す本実施形態に係るタッピングデバイスのＡ−Ａ断面図である。
【図７】本実施形態に係るタッピングデバイスにシートと装着リングを装着した状態を示す正面図及び断面図である。
【図８Ａ】本実施形態に係るタッピングデバイスの摺動子のタッピング動作を説明する図である。
【図８Ｂ】本実施形態に係るタッピングデバイスの摺動子のタッピング動作を説明する図である。
【図８Ｃ】本実施形態に係るタッピングデバイスの摺動子のタッピング動作を説明する図である。
【図９】本実施形態に係るタッピングデバイスのカムの変形例を説明する図である。
【図１０】本実施形態に係るタッピングデバイスの使用方法について説明する図である。
【発明を実施するための形態】
【００１１】
以下に図面を参照して本実施形態について説明する。
【００１２】
最初に、タッピングデバイス１の外観について説明する。
【００１３】
図１Ａは、本実施形態に係るタッピングデバイス１の正面図である。図１Ｂは、本実施形態に係るタッピングデバイス１の側面図である。最初に、方向について説明する。図１に座標軸を示す。図１Ａの側面図及び図１Ｂの正面図において、タッピングデバイス１の長手方向（図１Ａ，図１Ｂの左右方向）をＸ軸として、右方向をＸ方向、左方向を−Ｘ方向とする。図１Ｂの正面図において、タッピングデバイス１の幅方向（図１Ｂの上下方向）をＹ軸として、上方向をＹ方向、下方向を−Ｙ方向とする。図１Ａの側面図において、タッピングデバイス１の高さ方向（図１Ａの上下方向）をＺ軸として、上方向をＺ方向、下方向を−Ｚ方向とする。タッピング対象は、Ｘ−Ｙ平面に平行になるようにして、Ｚ軸に沿ってタッピングする。
【００１４】
タッピングデバイス１は、把持部１００と、タッピングヘッド部２００と、を備える。
【００１５】
把持部１００は、使用者がタッピングデバイス１を使用する際に手で握る部分である。本実施形態の把持部１００には、電源スイッチ１１０を備える。また、電源スイッチ１１０以外の設定スイッチ等の操作部や動作状態を示す表示部を備えてもよい。本実施形態の把持部１００は、後述する制御基板４０や電池５０、タッピング機構部４００の一部を内蔵する。
【００１６】
タッピングヘッド部２００は、使用者がタッピングする肌等の対象に押し当てて使用する部分である。本実施形態のタッピングヘッド部２００は、後述するタッピング機構部４００の一部を内蔵する。
【００１７】
本実施形態に係るタッピングデバイス１は、タッピングする対象に押し当てる部分に、カバー３００を更に備える。
【００１８】
次に、タッピングデバイス１の構成について説明する。
【００１９】
図２は、本実施形態に係るタッピングデバイス１の分解斜視図である。
【００２０】
タッピングデバイス１は、筐体１０を備える。筐体１０は、トップカバー１１とボトムカバー１２を結合することにより構成する。把持部１００は、筐体１０に設けられている。ボトムカバー１２の先端部分には、枠部１５を備える。枠部１５は、タッピングヘッド部２００の一部を構成し、後述するフィンガー部４１１の側面周囲を覆うように設けられる。枠部１５には、カバー３００が取り付けられる。
【００２１】
筐体１０は、筐体１０の内部にメカボックス２０を備える。メカボックス２０は、メカボックストップカバー２１とメカボックスボトムカバー２２を結合することにより構成する。メカボックス２０は、タッピング機構部４００の一部を内蔵している。タッピング機構部４００において動作の際に音が発生する。例えば、タッピング機構部４００の駆動部４２３であるモータから音が発生する。メカボックス２０にタッピング機構部４００を内蔵することによって、タッピング機構部４００は、メカボックス２０と筐体１０とにより二重に囲まれるので、筐体１０の外に音が漏れるのを防止することができる。したがって、タッピングデバイス１の低騒音化を行うことができる。
【００２２】
また、メカボックス２０は、緩衝材３０を介して筐体１０に設置される。タッピング機構部４００は動作の際に振動が発生する。緩衝材３０を介することによって筐体１０に振動が伝わることを防止することができる。さらに、タッピング機構部４００の音が筐体１０の外に伝わることを防止することができる。したがって、本実施形態のメカボックス２０の上記のように設置することによって、タッピングデバイス１の低騒音化を行うことができる。
【００２３】
筐体１０は、トップカバー１１とボトムカバー１２の中に制御基板４０と、電池５０を備える。制御基板４０は、タッピング機構部４００の駆動部４２３を駆動制御する回路等を備える。電池５０は、タッピング機構部４００の駆動部４２３と制御基板４０を駆動する電力をそれぞれに供給する。
【００２４】
次に、タッピングデバイス１のタッピング機構部４００について説明する。タッピング機構部４００により、タッピングデバイス１はタッピング動作を行う。
【００２５】
図３は、本実施形態に係るタッピングデバイス１のタッピング機構部４００の斜視図である。図４は、本実施形態に係るタッピングデバイス１の摺動子４１０の斜視図である。
【００２６】
タッピング機構部４００は、摺動子４１０と、駆動部材４２０と、押圧部材４３０と、を備える。
【００２７】
タッピング機構部４００の各部材について説明する。
【００２８】
摺動子４１０は、フィンガー部４１１と、連結部材４１２と、を備える。本実施形態のタッピングデバイス１は、３個の摺動子４１０を備える。本実施形態のタッピングデバイス１では、３個の摺動子４１０を横に直線状に並べている。直線状に並べることによって、人の指でタッピングするようにすることができる。
【００２９】
フィンガー部４１１は、タッピングを行う際にカバー３００を介して肌をタッピングする部材である。フィンガー部４１１の形状は、人の指の形状を模した形状となっている。具体的には、正面視略長方形状の形状になっている。フィンガー部４１１の断面の一部は、指の腹部の形状を模した略楕円の一部とするのが好ましい。なお、本実施形態においては、フィンガー部４１１は一つの部材で形成しているが、複数の部材を用いて形成してもよい。例えば、直方体と丸みを帯びた部材を組み合わせて形成してもよい。
【００３０】
なお、フィンガー部４１１は、連結部材４１２から取り外し可能としてもよい。取り外し可能にすることによって、使用者は好みの形状のフィンガー部４１１を選んだり、施術に好ましい形状のフィンガー部４１１を選んだりすることができる。
【００３１】
連結部材４１２は、フィンガー部４１１と後述するカム受部４２１を所定の間隔で連結する部材である。
【００３２】
次に、駆動部材４２０について説明する。駆動部材４２０は、カム受部４２１と、カムシャフト４２２と、駆動部４２３と、を備える。
【００３３】
カム受部４２１は、後述するカム４２５と係合する部材である。カム受部４２１は、各摺動子４１０にそれぞれ１個設けられる。本実施形態のタッピングデバイス１は、合計３個のカム受部４２１を備える。カム受部４２１は、連結部材４１２のフィンガー部４１１とは反対側に取り付けられる。
【００３４】
カムシャフト４２２は、カム４２５を回動する部材である。カムシャフト４２２は、摺動子４１０と同じ個数のカム４２５を備える。カムシャフト４２２は、駆動部４２３により回動する。それによって、カムシャフト４２２に設けられているカム４２５が回動する。回動するカム４２５は、カム受部４２１と係合してカム受部４２１をＺ方向（第１の方向）に移動させる。
【００３５】
駆動部４２３は、カムシャフト４２２を回動する部材である。図３の本実施形態では、具体的にはモータである。駆動部４２３とカムシャフト４２２との間に減速機を備えるようにしてもよい。なお、駆動部４２３又はカムシャフト４２２の回転数を調整可能としてもよい。例えば、回転数を上げることにより速いリズムでタッピングさせたり、回転数を下げることにより、ゆったりしたリズムでタッピングさせたりすることができる。
【００３６】
次に、押圧部材４３０について説明する。
【００３７】
押圧部材４３０は、摺動子４１０をＺ方向（第１の方向）とは逆の方向である−Ｚ方向（第２の方向）に押圧する部材である。本実施形態では、押圧部材４３０として、摺動子４１０とメカボックストップカバー２１の間に設けた圧縮ばねを用いる。本実施形態の圧縮ばねの摺動子４１０を押圧する最大の力、すなわち、タッピングデバイス１を動作させたときに圧縮ばねを最も圧縮した場合の圧縮ばねの力（最大荷重）は、１〜１０Ｎであること望ましい。さらには、３〜４Ｎにすることが望ましい。そのような摺動子４１０を押圧する力にすることよって、人の指によるタッピングを再現するようなタッピングの強さとなる。
【００３８】
押圧部材４３０は、摺動子４１０を押圧することができる部材であればよく、例えば、ばね、ゴム等の弾性部材等であればよい。なお、ばねについて、本実施形態では押圧部材４３０は圧縮ばねを用いているが、押圧部材４３０として引張りばねを用いて摺動子４１０を下側から引っ張るようにして押圧してもよい。
【００３９】
次にダンパ５００について説明する。
【００４０】
図５は、本実施形態に係るタッピングデバイス１のダンパ５００の断面斜視図である。ダンパ５００は、摺動子４１０がＺ方向（第１の方向）と逆の方向である−Ｚ方向（第２の方向）に移動する際に、速度を減衰させる部材である。
【００４１】
本実施形態のタッピングデバイス１は、各摺動子４１０に一つずつダンパ５００を備える。ダンパ５００は、ピストン５１０と、Ｏリング５２０と、シリンダ５３０を備える。
【００４２】
本実施形態のピストン５１０は、カム受部４２１と一体となっている。ピストン５１０の形状は略棒状である。ピストン５１０の先端側の外周には、断面が半円状の溝が外周面に形成されている。Ｏリング５２０の断面の約半分が当該溝に嵌挿され装着される。
【００４３】
本実施形態のシリンダ５３０の形状は、底を有する略円筒形である。本実施形態のシリンダ５３０はメカボックスボトムカバー２２に形成されている。
【００４４】
ピストン５１０は、シリンダ５３０に挿入される。その際に、Ｏリング５２０は、ピストン５１０の断面が半円状の溝とシリンダ５３０の内面に密着する。それによって、ピストン５１０、Ｏリング５２０、シリンダ５３０で囲まれる空間は密封状態となる。タッピングを行う際にピストン５１０がシリンダ５３０に押し込まれると、シリンダ５３０内の空気が圧縮されることから、摺動子４１０の速度を減衰させることができる。そのようにして、ダンパ５００はエアダンパとして動作する。
【００４５】
摺動子４１０を早い速度状態で停止させると比較的大きな打撃音が発生する。ダンパ５００を設けることによって、摺動子４１０の速度を適切に減衰させた状態で停止させることができる。それにより打撃音を小さくすることができる。したがって、タッピングデバイス１の低騒音化を行うことができる。
【００４６】
なお、本実施形態のダンパ５００として、エアダンパを採用したが、エアダンパ以外のダンパを採用してもよい。例えば、油圧式を用いてもよい。また、ゴムやバネ等の弾性部材を用いてもよい。
【００４７】
次に、カバー３００について図１、２、６を用いて説明する。
【００４８】
図６は、本実施形態に係るタッピングデバイス１の断面図である。図６は、図１ＢのＡ−Ａで切断した断面図である。なお、図６では、タッピングヘッド部２００近辺の断面を示す。図６は、すべての摺動子４１０が静止した状態（静止状態）で、フィンガー部４１１が最下点にある状態を示す。
【００４９】
本実施形態のタッピングデバイス１は、３個の摺動子４１０を備える。各摺動子４１０は、フィンガー部４１１を備える。カバー３００は、その複数のフィンガー部４１１を覆うように取り付けられている。
【００５０】
図６に示すように、カバー３００は、フィンガー部４１１に対応する複数の凸部３１０と、凸部３１０を取り囲み、枠部１５を覆うカバー枠部３２０を備える。カバー３００は、カバー３００のカバー枠部３２０とボトムカバー１２の枠部１５とをはめ合わせることで取り付ける。また、フィンガー部４１１は、凸部３１０のタッピング対象側とは反対側から挿入される。
【００５１】
ここで、本実施形態のタッピングデバイス１のフィンガー部４１１と枠部１５との位置関係について説明する。摺動子４１０は、後述するように、駆動部材４２０のカム受部４２１とカム４２５が係合していない状態では、Ｚ方向に移動されずに摺動子４１０が静止している状態（静止状態）となる。そのような静止状態において、フィンガー部４１１は枠部１５より、図６に示すように距離ａだけタッピング対象側に突出している。本実施形態のタッピングデバイス１では、距離ａは約３ｍｍである。
【００５２】
上記のように、フィンガー部４１１は枠部１５よりタッピング対象側に突出しているのに対応して、凸部３１０は、カバー枠部３２０より距離ｂだけタッピング対象側に突出している。本実施形態のタッピングデバイス１では、距離ｂは距離ａと同じく約３ｍｍである。なお、距離ａと距離ｂは同じ距離であってもよいし、異なる距離であってもよい。
【００５３】
人の皮膚の表皮と真皮をあわせた厚さは約２．２ｍｍ程度である。駆動時にカバー枠部３２０のカバー面を肌に当てた状態で、凸部３１０を約３ｍｍ押し込むことができる。その結果、凸部３１０を約３ｍｍ突出されることによって、毛細血管やリンパ管を含む真皮層まで凸部３１０押し込むことができる。真皮まで押し込むことによって体液の循環を効果的に促すことが可能となる。
【００５４】
本実施形態のタッピングデバイス１では、枠部１５とカバー枠部３２０を備えているので、カバー枠部３２０を肌に当てるようにフィンガー部４１１を駆動することより使用状態において、肌とフィンガー部４１１との間隔の調整を簡単に行うことができる。また、枠部１５とカバー枠部３２０を備えているので、カバー枠部３２０が肌に当たることによって、肌にフィンガー部４１１を強く抑え過ぎるのを防止することができる。
【００５５】
カバー３００は、液体を透過しない、すなわち、液体非透過性のカバーが好ましい。カバー３００の材質は、肌に接触することから柔軟性のあるものが望ましい。例えば、カバー３００の材質は、ゴムやエラストマー等である。特に、ウレタンやシリコーンであることが好ましい。柔軟性のあるカバー３００を用いることによって、接触したときに人の肌の感覚に近づけることができる。
【００５６】
本実施形態のタッピングデバイス１のカバー３００は、複数のフィンガー部４１１を一つのカバー３００で覆う。そのことによって、各フィンガー部４１１を個別のカバーで覆うのと比較して、部品点数を減らすことができる。また、フィンガー部４１１の間もカバーで覆うことによって、耐水性を向上させたり、フィンガー部４１１の隙間にものが挟まることを防止したりすることができる。
【００５７】
本実施形態のタッピングデバイス１のカバー３００は、枠部１５にカバー枠部３２０をはめ込むことで取り付けていることから取り外しが可能になっている。カバー３００を取り外し可能であることによって、例えば、使用者によってカバー３００を変えたり、厚み等の仕様の異なるカバー３００を使用したりすることが可能である。また、取り外し可能であることから、カバー３００を取り外して、汚れた際に洗うことができる。
【００５８】
また、本実施形態のカバー３００の表面は、平滑な面（曲面）となっているがそれに限らない。例えば、突起を表面に備えるようにしてもよい。また、カバー３００の表面をタッピングの用途に応じて変更してもよい。例えば、日常のスキンケアの際には、平滑な面のカバー３００を用いて、マッサージの際には、突起を備えるカバー３００を用いてもよい。
【００５９】
次に、タッピングデバイス１と併用するシート７００とシート７００を装着するための装着リング６００について説明する。
【００６０】
図７は、タッピングデバイス１のシート７００と装着リング６００とを装着した状態を示す正面図である。従来技術で述べたように、不織布を用いて化粧水等の化粧基剤を適用すると角層への化粧水の浸透量が増える効果があることが知られている。本実施形態のタッピングデバイス１では、化粧基剤を含むシート７００を併用しながらタッピングを行うことができる。シート７００は、装着リング６００によりタッピングデバイス１のカバー３００の上に取り付ける。
【００６１】
タッピングを行う際は、化粧基剤をシート７００に含浸されるのが好ましい。また、化粧基剤は、シート７００のシート表面に塗工させているようにしてもよい。
【００６２】
シート７００は、化粧基剤を含浸又は塗工できるものであればよい。例えば、３次元多孔質構造のシート、特に、不織布、スポンジ、布のいずれかであることが好ましい。特に、コットンを含む不織布が好ましい。
【００６３】
本実施形態のタッピングデバイス１と同時に適用する化粧基剤は、水溶性有効成分を配合していることが好ましい。さらに水溶性有効成分は、保湿成分又は美白成分であることが好ましい。保湿成分は、グリセリンを含むことが好ましい。美白成分は、トラネキサム酸、ビタミンＣ誘導体、アルブチン、４−メトキシサリチル酸カリウム塩、ニコチン酸アミドのいずれかを含むことが好ましい。
【００６４】
本実施形態のタッピングデバイス１にシート７００を取り付けられているので、シート７００を手で押さえる必要がない。したがって、片手でのタッピングデバイス１の操作で、肌に化粧基剤を適用しながらタッピングすることができる。
【００６５】
本実施形態のタッピングデバイス１は、複数の摺動子４１０によって、タッピングを行うことから、不織布によるパッティングと同時にエステティシャンのフィンガータッピングのようなタッピングを行うことができる。それによって、より高い美容効果と自分の手では感じることができない心地よさを実現することができる。
【００６６】
次にタッピング機構部４００の動作について説明する。
【００６７】
図８Ａ、図８Ｂ、図８Ｃは、本実施形態に係るタッピングデバイス１の摺動子４１０のタッピング動作を説明する図である。
【００６８】
カムシャフト４２２は駆動部４２３により回転する。カムシャフト４２２が回転することにより、カム４２５が回転する。図８において、カム４２５は反時計回り（矢印Ｒの方向）に回転する。
【００６９】
図８Ａは、カム４２５とカム受部４２１が係合する前の状態の図である。摺動子４１０は、押圧部材４３０によってＺ方向（第１の方向）と逆の方向である−Ｚ方向（第２の方向）に押圧されていることから、フィンガー部４１１は、最下点にある。そして、タッピング対象である肌Ｓにカバー３００を介して接している。なお、図８Ａ、図８Ｂ、図８Ｃではカバー３００とシート７００は省略している。
【００７０】
図８Ｂは、カム４２５とカム受部４２１が係合している状態の図である。カム４２５が駆動されることにより、カム４２５とカム受部４２１が係合する。カム４２５とカム受部４２１が係合すると、カム４２５が回転するにしたがって、摺動子４１０がＺ方向（第１の方向）に移動する。押圧部材４３０であるバネは圧縮されて弾性エネルギーが蓄積される。
【００７１】
図８Ｃは、カム４２５とカム受部４２１の係合が外れた直後の状態の図である。カム４２５とカム受部４２１が係合している状態で、カム４２５が回転していくと係合が外れる。係合が外れると、摺動子４１０は、押圧部材４３０であるバネの蓄積された弾性エネルギーが解放されてＺ方向（第１の方向）と逆の方向である−Ｚ方向（第２の方向）に直線的に移動する。そして、移動して、タッピング対象である肌Ｓにフィンガー部４１１が衝突してタッピングを行う。
【００７２】
ここで肌に加わる力の影響について説明する。例えば、ローラ等により肌に横方向に力が加わると表皮と真皮との接合部を破壊してたるみやシミの原因になる。従来技術も叩打子が取付け部を中心に回転することから、肌に垂直に叩打することは困難である。本実施形態のタッピングデバイス１の摺動子４１０は、直線的に移動する。そのことから、肌に横方向に力が加わることなく肌をタッピングする際に常に肌に垂直に力を加えることができる。したがって、本実施形態のタッピングデバイス１は、タッピングの際にたるみやシミの原因となる表皮と真皮との接合部を傷つけることなくタッピングすることができる。
【００７３】
本実施形態のタッピング機構部４００では、カム４２５とカム受部４２１の係合が外れた後は、押圧部材４３０であるバネの反発力によってタッピングする。そのことから、ほぼ一定の強さで肌をタッピングすることができる。また、駆動部４２３の回転数を変えても、タッピングの強さは変わらず、一定の強さでタッピングを行うことができる。
【００７４】
また、例えば、板カムと接触子を用いるカム機構やクランク機構のように強制的に摺動子を移動させる場合には、摺動子に移動方向と逆方向に力がかかると、動作が止まったり、場合によっては故障したりする可能性がある。また、摺動子を肌に押し付ける力に比例して摺動子が肌に強く押し付けられることになる。
【００７５】
本実施形態のタッピング機構部４００では、例えば、肌にカバー３００を押し付けて摺動子４１０をＺ方向に押しても、押圧部材４３０の力に抗してＺ方向に移動することが可能である。したがって、肌にカバー３００を押し付けた時にも、タッピング機構部４００の故障を防止することできる。
【００７６】
図３に示すように、本実施形態のタッピングデバイス１は、３つの摺動子４１０を備える。本実施形態では、駆動部４２３に近い摺動子４１０から並んでいる順番に順次タッピングを行う。そのようにタッピングすることによって、人が指で順番にタッピングするのを模擬するようにタッピングすることができる。また、順番にタッピングすることによって、連続性のある一定の圧刺激を肌に与えることができる。
【００７７】
なお、タッピングする順番については、本実施形態の例に限らず例えば駆動部４２３から遠い摺動子４１０から順番に順次タッピングしてもよい。また、順番にタッピングするのではなく、各摺動子４１０がお互いにタイミングをずらして個別にタッピングするようにしてもよい。さらにすべての摺動子４１０が同時にタッピングしてもよい。
【００７８】
また、図８では、カム４２６のカム受部４２１と係合する突起は１つであったが、突起の数は１つに限らない。例えば、図９のカム４２６のように２つの突起を設けてもよいし、３つ以上の突起を設けてもよい。また、上述の駆動部４２３又はカムシャフト４２２の回転数とカム４２５の突起の数は、人のタッピングを再現するようなリズムとなるように決めることが好ましい。
【００７９】
次に、タッピングデバイス１の使用方法について説明する。
【００８０】
図１０は、本実施形態に係るタッピングデバイス１の使用方法について説明する図である。
【００８１】
以下の手順に従ってタッピングデバイス１を使用する。
【００８２】
（１）化粧基剤をシート７００（例えば、コットン製の不織布）に含ませる。
（２）タッピングデバイス１にシート７００を装着する。
（３）タッピングデバイス１の電源を入れる。
（４）タッピングデバイス１のタッピングヘッド部２００を顔の中心部分に密着させる。
（５）図１０のように、顔の中心から外側に向かってゆっくりと横にタッピングデバイス１をスライドさせる。
（６）場所を変えながら（５）を数回繰り返す。
（７）タッピングデバイス１の電源を切る。
【００８３】
このように本実施形態のタッピングデバイス１を用いてタッピングを行うことができる。
【００８４】
次に、本実施形態のタッピングデバイス１の特徴についてまとめる。
【００８５】
本実施形態のタッピングデバイス１では、タッピング機構部４００が筐体１０とカバー３００の内部に収納されている。そのことから、タッピング機構部４００の稼働部分が外部に露出することなく、接触することがないので安全に使用することができる。
【００８６】
また、本実施形態のタッピングデバイス１は、カバー３００を肌に密着させて使用する。そのことから、タッピングデバイス１を使用する際に、従来技術のように肌と叩打子との間隔を調整する必要がなく位置合わせをするのか容易である。したがって、簡単にタッピングを行うことができる。
【００８７】
さらに、本実施形態のカバー３００は液体非透過性のカバーである。そのことから、外部からの液体、特に、シート７００に液状の化粧基剤を含浸させて用いても化粧基剤が筐体内部に侵入することない。また、液体がタッピングデバイス１の内部に侵入することによる故障を防止することができる。
【００８８】
また、本実施形態のタッピングデバイス１は、化粧基剤を含むシート７００を装着してタッピングを行うことができることから、化粧基剤を併用したタッピングを簡単に行うことができる。
【００８９】
なお、本実施形態のタッピングデバイス１は、３個の摺動子４１０を備えているが、個数については、３個に限らない。２個以上であればよい。例えば、摺動子４１０を４個としてもよい。また、摺動子４１０が１個であってもよい。
【００９０】
また、本実施形態のタッピングデバイス１は、複数の摺動子４１０を直線状に並べているが、摺動子の配置は直線状に並べるのに限らない。例えば、曲線状にならべてもよい。また、本実施形態のタッピングデバイス１は１列であるが、２列以上並べてもよい。
【００９１】
さらに、押圧部材４３０の摺動子４１０を押圧する最大の力を調整できるようにしてもよい。例えば、摺動子４１０の静止状態において、押圧部材４３０であるばねの寸法を変えるようにして調整するようにしてもよい。
【００９２】
以上、本発明を実施例に基づいて説明したが、本発明は上記実施例に限定されるものではなく、特許請求の範囲に記載の範囲内で様々な変形が可能である。
【００９３】
本願は、日本特許庁に２０１８年１１月１９日に出願された基礎出願特願２０１８−２１６５３４号の優先権を主張するものであり、その全内容を参照によりここに援用する。
【符号の説明】
【００９４】
１  タッピングデバイス
１５  枠部
３００  カバー
３２０  カバー枠部
４１０  摺動子
４１１  フィンガー部
４２０  駆動部材
４２１  カム受部
４２２  カムシャフト
４２５  カム
４３０  押圧部材
５００  ダンパ
６００  装着リング
７００  シート
【図１Ａ】
2020105593.tif 000003
【図１Ｂ】
2020105593.tif 000004
【図２】
2020105593.tif 000005
【図３】
2020105593.tif 000006
【図４】
2020105593.tif 000007
【図５】
2020105593.tif 000008
【図６】
2020105593.tif 000009
【図７】
2020105593.tif 000010
【図８Ａ】
2020105593.tif 000011
【図８Ｂ】
2020105593.tif 000012
【図８Ｃ】
2020105593.tif 000013
【図９】
2020105593.tif 000014
【図１０】
2020105593.tif 000015
【国際調査報告】
2020105593.tif 000016
2020105593.tif 000017
2020105593.tif 000018
2020105593.tif 000019